(57)【要約】      （修正有）【課題】使用上の安全性を高め、コストを減らし、患者の不快や苦痛を感じさせない低背圧の注射針不要な装置を提供する。【解決手段】ケース１が該ケース頂部を貫通する通路１１を具え、前記通路のケース内壁には複数の突起リブが凸設され、弾性体２が前記ケースの通路内に設置され、前記弾性体底部を貫通する収納スペースを具え、前記弾性体の閉鎖された一端の内壁には凸部が設置され、バネ３が前記弾性体の収納スペース内に設置され、刺し込み構造４が前記バネ上に穿設され、少なくとも一つの開孔４２及び流路を具え、前記凸部が前記刺し込み構造の端部の外壁に当接し、前記開孔が前記刺し込み構造の端部に設置され前記流路に繋がっていて、前記流路が前記刺し込み構造の底部を貫通し、接続構造５が前記ケースの底部に接続されるパイプ５３を具え、該パイプが前記刺し込み構造の流路に繋がっていることを特徴とする。【選択図】図３
0003158565.tif 000002
【実用新案登録請求の範囲】
【請求項１】
ケース、弾性体、バネ、刺し込み構造、及び接続構造を有する低背圧の注射針不要な装置であって、
前記ケースが前記ケース頂部を貫通する通路を具え、前記通路のケース内壁には複数の突起リブが凸設され、
前記弾性体が前記ケースの通路内に設置され、前記弾性体底部を貫通する収納スペースを具え、前記弾性体の閉鎖された一端の内壁には凸部が設置され、
前記バネが前記弾性体の収納スペース内に設置され、
前記刺し込み構造が前記バネ上に穿設され、少なくとも一つの開孔及び流路を具え、前記凸部が前記刺し込み構造の端部の外壁に当接し、前記開孔が前記刺し込み構造の端部に設置され前記流路に繋がっていて、前記流路が前記刺し込み構造の底部を貫通し、
前記接続構造が前記ケースの底部に接続されるパイプを具え、前記パイプが前記刺し込み構造の流路に繋がっていることを特徴とする低背圧の注射針不要な装置。
【請求項２】
前記ケースの端部に第一結合部が設置され、前記ケースのもう一つの端部に第二結合部が設置され、前記第一結合部が複数のねじ山構造を具え、前記複数のねじ山構造が前記第一結合部の外壁に周設され、前記第二結合部が凸リングであり、前記第二結合部が前記接続構造の頂部に収納して設置される、請求項１に記載された低背圧の注射針不要な装置。
【請求項３】
前記接続構造の端部に第三結合部と収納溝が設置され、前記第三結合部と前記ケースの第二結合部が互いに組み合わされ、前記第二結合部が前記収納溝内に位置し、前記接続構造のもう一つの端部に第四結合部が設置され、前記第四結合部が複数のねじ山構造を具える、請求項２に記載された低背圧の注射針不要な装置。
【請求項４】
前記複数の突起リブが縦方向に伸びていて、且つ相互に間隔を空けられ、前記ケースの内壁上を囲繞するように凸設される、請求項１〜３の何れかに記載された低背圧の注射針不要な装置。
【請求項５】
前記弾性体が、シリコーンゴムであって、外形が円柱状である、請求項１〜４の何れかに記載された低背圧の注射針不要な装置。
【請求項６】
前記弾性体が底盤を具え、前記底盤の頂部と底部にそれぞれ第一凹溝及び第二凹溝が設置される、請求項１〜５の何れかに記載された低背圧の注射針不要な装置。
【請求項７】
前記ケースの底部に第一位置決め部が凸設され、前記第一位置決め部が前記第一凹溝に対応し前記第一凹溝内に固設され、前記接続構造の頂部に第二位置決め部が凸設され、前記第二位置決め部が前記第二凹溝に対応し前記第二凹溝内に固設される、請求項６に記載された低背圧の注射針不要な装置。
【請求項８】
ケース、弾性体、バネ、刺し込み構造、接続構造、及び注入装置を有する低背圧の注射針不要な装置であって、
前記ケースが前記ケースの頂部及び底部を貫通する通路を具え、前記通路のケース内壁に複数の突起リブが凸設され、
前記弾性体が前記ケースの通路内に設置され、その底部を貫通する収納スペースを具え、前記弾性体の閉鎖された一端の内壁に凸部が設置され、
前記バネが前記弾性体の収納スペース内に設置され、
前記刺し込み構造が前記バネ上に穿設され、少なくとも一つの開孔及び流路を具え、前記凸部が前記刺し込み構造の端部の外壁に当接し、前記開孔が前記刺し込み構造の端部に設置され前記流路に繋がっていて、前記流路が前記刺し込み構造の底部を貫通し、
前記接続構造が前記ケースの底部に接続されパイプを具え、前記パイプが前記刺し込み構造の流路に繋がり、
前記注入装置が前記ケースの頂部に設置され注入ヘッドを具え、前記注入ヘッドが前記通路内に挿通され前記弾性体と前記バネを圧縮し、前記刺し込み構造の端部が前記弾性体の頂部に刺し込まれ、それにより前記刺し込み構造の開孔が前記注入ヘッド内に位置することを特徴とする、低背圧の注射針不要な装置。
【請求項９】
前記ケースの端部に第一結合部が設置され、前記ケースのもう一つの端部に第二結合部が設置され、前記第一結合部が複数のねじ山構造を具え、前記複数のねじ山構造が前記第一結合部の外壁に周設され、前記第二結合部が凸リングであり、前記第二結合部が前記接続構造の頂部に収納して設置される、請求項８に記載された低背圧の注射針不要な装置。
【請求項１０】
前記接続構造の端部に第三結合部と収納溝が設置され、前記第三結合部と前記ケースの第二結合部が互いに組み合わされ、前記第二結合部が前記収納溝内に位置し、前記接続構造のもう一つの端部に第四結合部が設置され、前記第四結合部が複数のねじ山構造を具える、請求項９に記載された低背圧の注射針不要な装置。
【請求項１１】
前記注入装置に螺合部が周設され、前記螺合部が複数のねじ山構造を具え、前記螺合部のねじ山構造が前記第一結合部のねじ山構造に対応して設置される、請求項９又は１０に記載された低背圧の注射針不要な装置。
【請求項１２】
前記複数の突起リブが縦方向に伸びていて、且つ相互に間隔を空けられ、前記ケースの内壁上を囲繞するように凸設される、請求項８〜１１の何れかに記載された低背圧の注射針不要な装置。
【請求項１３】
前記弾性体が、シリコーンゴムであって、外形が円柱状である、請求項８〜１２の何れかに記載された低背圧の注射針不要な装置。
【請求項１４】
前記弾性体が底盤を具え、前記底盤の頂部と底部にそれぞれ第一凹溝及び第二凹溝が設置される、請求項１〜１３の何れかに記載された低背圧の注射針不要な装置。
【請求項１５】
前記ケースの底部に第一位置決め部が凸設され、前記第一位置決め部が前記第一凹溝に対応し前記第一凹溝内に固設され、前記接続構造の頂部に第二位置決め部が凸設され、前記第二位置決め部が前記第二凹溝に対応し前記第二凹溝内に固設される、請求項１４に記載された低背圧の注射針不要な装置。
【考案の詳細な説明】
【技術分野】
【０００１】
本考案は低背圧の注射針不要な装置に関し、特に、医療器具に応用され、輸血や点滴を行うことができる低背圧の注射針不要な装置に関する。
【背景技術】
【０００２】
医療従事者が薬剤を注入する時に使用する薬剤添加チューブは、従来、図１に示すような、薬剤添加口ａ１１を具える中空チューブａ１である。前記薬剤添加口ａ１１は栓体ａ１２を有し、前記栓体ａ１２は軟性の物質である。医療従事者が薬剤を注入する時に、まず薬剤を注入装置２ａで抽出して吸入し、注入装置ａ２の注射針ａ２１を栓体ａ１２から薬剤添加チューブａ１内にまで差し込み、その後、注入装置ａ２のプッシュロッドａ２２を押せば、薬剤を薬剤添加チューブａ１内に注入することができる。
【０００３】
しかしながら、注射針ａ２１は鋭利な構造であるため、医療従事者が注入装置ａ２を使用する時、不注意により注射針ａ２１で刺して怪我をする可能性があり、もし注射針ａ２１が清潔でない場合は感染を引き起こすこともある。
また、注入装置ａ２の注射針ａ２１を使用して薬剤を直接人体の中に注入する場合、注入する速度が速すぎると患者に不快感を与え、しかも注入装置ａ２を抜く時に空気の回流により生じる圧力、（以下これを「背圧」という。）により患者に痛みを与えることになる。
【０００４】
従って、注射針ａ２１を使わないで薬剤を添加できる薬剤添加チューブａ１を設計することができれば、医療従事者が感染する機会をなくし、使用上の安全性を高めることができ、しかも、使用後の注射針ａ２１を捨てる必要がなく、コストも削減できる。
【考案の概要】
【考案が解決しようとする課題】
【０００５】
本考案の主な目的は、使用上の安全性を高め、コストを減らし、患者の不快や苦痛を感じさせないようにする、低背圧の注射針不要な装置を提供することにある。
【課題を解決するための手段】
【０００６】
本考案者は、上述の欠点を改善並びに解決するために、度重なる研究と学術理論の運用を行った結果、上述の欠点を改善するのに合理的で有効な、低背圧の注射針不要な装置を提供する。
即ち本考案は、ケース、弾性体、バネ、刺し込み構造、及び接続構造を有する低背圧の注射針不要な装置であって、前記ケースが前記ケース頂部を貫通する通路を具え、前記通路のケース内壁には複数の突起リブが凸設され、前記弾性体が前記ケースの通路内に設置され、前記弾性体底部を貫通する収納スペースを具え、前記弾性体の閉鎖された一端の内壁には凸部が設置され、前記バネが前記弾性体の収納スペース内に設置され、前記刺し込み構造が前記バネ上に穿設され、少なくとも一つの開孔及び流路を具え、前記凸部が前記刺し込み構造の端部の外壁に当接し、前記開孔が前記刺し込み構造の端部に設置され前記流路に繋がっていて、前記流路が前記刺し込み構造の底部を貫通し、前記接続構造が前記ケースの底部に接続されるパイプを具え、前記パイプが前記刺し込み構造の流路に繋がっていることを特徴とする低背圧の注射針不要な装置である。
【０００７】
更に、もう一つの本考案は、ケース、弾性体、バネ、刺し込み構造、接続構造、及び注入装置を有する低背圧の注射針不要な装置であって、
前記ケースが前記ケースの頂部及び底部を貫通する通路を具え、前記通路のケース内壁に複数の突起リブが凸設され、
前記弾性体が前記ケースの通路内に設置され、その底部を貫通する収納スペースを具え、前記弾性体の閉鎖された一端の内壁に凸部が設置され、
前記バネが前記弾性体の収納スペース内に設置され、
前記刺し込み構造が前記バネ上に穿設され、少なくとも一つの開孔及び流路を具え、前記凸部が前記刺し込み構造の端部の外壁に当接し、前記開孔が前記刺し込み構造の端部に設置され前記流路に繋がっていて、前記流路が前記刺し込み構造の底部を貫通し、
前記接続構造が前記ケースの底部に接続されパイプを具え、前記パイプが前記刺し込み構造の流路に繋がり、
前記注入装置が前記ケースの頂部に設置された注入ヘッドを具え、前記注入ヘッドが前記通路内に挿通され前記弾性体と前記バネを圧縮し、前記刺し込み構造の端部が前記弾性体の頂部に刺し込まれ、それにより前記刺し込み構造の開孔が前記注入ヘッド内に位置することを特徴とする、低背圧の注射針不要な装置である。
【考案の効果】
【０００８】
本考案の低背圧の注射針不要な装置は、注入をする時に注射針を使用する必要がないため、不注意による怪我や、それにより引き起こされる感染を防ぐことができ、使用上の安全性が向上する上、コストを削減することができる。
また、弾性体の閉鎖された一端の内壁には凸部が設置され、前記凸部は前記刺し込み構造の一端の外壁に当接することにより、圧縮された弾性体２及びバネ３の弾性回復力による反発が速くなることを防ぐため、背圧が高くなるのを防ぎ、患者の痛みを軽減させることができる。
また、ケース内壁の突起リブと弾性体が変形した部分が点接触し、弾性体が反発する時のケース内壁間との摩擦力を減少さるので、弾性体が反発しなくなるという状況が起きないようにすることができる。
【０００９】
本考案の特徴と技術内容を更に理解できるよう、以下に本考案の添付図面を参照しながら詳細な説明を行うが、添付図面は参考と説明用に供したに過ぎず、本考案に制限を課すものではない。
【図面の簡単な説明】
【００１０】
【図１】従来の薬剤添加チューブの使用状態の概略図である。
【図２】本考案の低背圧の注射針不要な装置の立体図である。
【図３】本考案の低背圧の注射針不要な装置の立体分解図である。
【図４】本考案の低背圧の注射針不要な装置の断面分解図である。
【図５】本考案の低背圧の注射針不要な装置の断面図である。
【図６】本考案の低背圧の注射針不要な装置の一部分の分解断面図である。
【図７】本考案の低背圧の注射針不要な装置の断面図である。
【図８】本考案の低背圧の注射針不要な装置の使用態様の概略図である。
【考案を実施するための形態】
【実施例】
【００１１】
本考案の低背圧の注射針不要な装置は、図２〜図５に示すように、ケース１、弾性体２、バネ３、刺し込み構造４及び接続構造５を有し、医療器具に応用され、輸血や点滴に使用される。
本考案の低背圧の注射針不要な装置の使用態様の一例を図８に示す。薬剤を注入する際、図８中の薬液添加口７２１又はＹ字管７８の位置に本考案の低背圧の注射針不要な装置を設置して使用する。
【００１２】
本実施例において、前記ケース１は中空円柱体であり、通路１１、複数の突起リブ１２、第一結合部１３、第二結合部１４及び第一位置決め部１５を具える。前記通路１１は前記ケース１頂部及び底部を貫通する。前記通路１１の第一スペース１１１は、ケース１頂部から底部に向かうに従い縮んでいき、前記通路１１の第二スペース１１２はケース１頂部から底部に向かうに従って広がる（図４に図示）。
【００１３】
前記複数の突起リブ１２は縦方向に伸びていて、且つ相互に間隔を空けられ、ケース１の第二スペース１１２の内壁上を囲繞するように凸設され、弾性体２の反発の摩擦力を減少させることができる。前記第一結合部１３はケース１の端部に位置し、その外壁には複数のねじ山構造１３１が周設され、前記複数のねじ山構造１３１は外ねじ山である。前記第二結合部１４はケース１のもう一つの端部に位置し、前記第二結合部１４は凸リングである。前記第一位置決め部１５も凸リングであり、ケース１の底部に凸設される。
【００１４】
前記弾性体２はシリコーンゴムであり、外形が中空で円柱状である。弾性体２はケース１の通路１１内に設置され、収納スペース２１、凸部２２、及び底盤２３を具える。前記収納スペース２１は前記弾性体２の底部を貫通する。前記凸部２２は、弾性体２の閉鎖された一端の内壁に周設され、且つ前記刺し込み構造４の一端の外壁に当接する。前記底盤２３は弾性体２の底部に位置し、前記底盤２３の頂部と底部には、それぞれ第一凹溝２３１及び第二凹溝２３２が周設される。
【００１５】
前記バネ３は弾性体２の収納スペース２１内に収納して設置され、弾性体２が圧縮された時の弾性回復力を提供することができる。
【００１６】
前記刺し込み構造４は針管であり、前記バネ３上に穿設される。前記刺し込み構造４は流路４１、及び少なくとも一つの開孔４２を具え、前記流路４１は刺し込み構造４の底部を貫通する。本実施例において、前記刺し込み構造４の端部には二つの開孔４２が設置され、前記二つの開孔４２は前記流路４１に繋がっている。
【００１７】
前記接続構造５は、第三結合部５１、収納溝５２、パイプ５３及び第四結合部５４を具える。前記第三結合部５１は凸リングであり、接続構造５の端部に位置し、サイズはケース２の第二結合部１４より少し大きく、前記第三結合部５１と第二結合部１４を組み合わせることで接続構造５をケース１の底部に接続させることができる。前記収納溝５２は第三結合部５１が囲繞する範囲内に位置し、ケース１の第二結合部１４は収納溝５２に収納して設置される。前記パイプ５３は刺し込み構造４の流路４１に繋がっている。
【００１８】
前記第四結合部５４は、接続構造５のもう一つの端部に位置し、複数のねじ山構造５４１を具え、点滴チューブ（図示せず）と接続することができる。また、前記収納溝５２の内壁には、第二位置決め部５１１が凸設され、前記第二位置決め部５１１は弾性体２の第二凹溝２３２に対応し第二凹溝２３２内に固設され、前記ケース１の第一位置決め部１５は弾性体２の第一凹溝２３１に対応し第一凹溝２３１内に固設され、それにより前記弾性体２はケース１の通路１１内に位置決めされる。
【００１９】
図６と図７に示すように、本考案が更に提供する低背圧の注射針不要な装置は、ケース１、弾性体２、バネ３、刺し込み構造４、接続構造５、及び注入装置６を含む。前記ケース１、弾性体２、バネ３、刺し込み構造４及び接続構造５の構造は、上述の説明と同じであり、ここでは記載を省略する。
【００２０】
前記注入装置６はケース１の頂部に設置され、注入ヘッド６１と螺合部６２を具える。前記注入ヘッド６１は通路１１内に挿通され、前記弾性体２とバネ３を圧縮する。弾性体２は圧縮されると同時に変形し、弾性体２の変形した部分がケース１の突起リブ１２に当接する。
【００２１】
前記刺し込み構造４の頂端が弾性体２の頂部に刺し込まれ、更に注入ヘッド６１に挿通されることで、刺し込み構造４の開孔４２が注入ヘッド６１内に位置するようになる。それにより、血液や液体は、注入装置６から注入されて開孔４２を通過し流路４１に進入し、流路４１からパイプ５３へと移動し下方の点滴チューブに送られ、最後に人体へ進入する。
本考案の低背圧の注射針不要な装置は以下の利点を有する。
【００２２】
本考案の低背圧の注射針不要な装置は、注入をする時に注射針を使用する必要がないため、不注意による怪我や、それにより引き起こされる感染を防ぐことができ、使用上の安全性が向上する上、コストを削減することができる。
【００２３】
また、弾性体の閉鎖された一端の内壁には凸部が設置され、前記凸部は前記刺し込み構造の一端の外壁に当接することにより、圧縮された弾性体２及びバネ３の弾性回復力による反発が速くなることを防ぐため、背圧が高くなるのを防ぎ、患者の痛みを軽減させることができる。
【００２４】
また、ケース内壁の突起リブと弾性体が変形した部分が点接触し、弾性体が反発する時のケース内壁間との摩擦力を減少さるので、弾性体が反発しなくなるという状況が起きないようにすることができる。
【００２５】
上記内容は本考案の好ましい実施例に過ぎず、本考案の登録請求の範囲を限定するものではないため、本考案で開示した趣旨を逸脱しないで完成された等価変更若しくは補正は、全て本考案における登録請求の範囲内に含まれるものとする。
【符号の説明】
【００２６】
ａ１    薬剤添加チューブ
ａ１１  薬剤添加口
ａ１２  栓体
ａ２    注入装置
ａ２１  注射針
ａ２２  プッシュロッド
１      ケース
１１    通路
１１１  第一スペース
１１２  第二スペース
１２    突起リブ
１３    第一結合部
１３１  ねじ山構造
１４    第二結合部
１５    第一位置決め部
２      弾性体
２１    収納スペース
２２    凸部
２３    底盤
２３１  第一凹溝
２３２  第二凹溝
３      バネ
４      刺し込み構造
４１    流路
４２    開孔
５      接続構造
５１    第三結合部
５１１  第二位置決め部
５２    収納溝
５３    パイプ
５４    第四結合部
５４１  ねじ山構造
６      注入装置
６１    注入ヘッド
６２    螺合部
６２１  ねじ山構造
７        輸液セット
７１      軽量筒
７２      上蓋
７２１    薬液注入口
７２２    空気排出バルブ
７３      輸液管
７４      下蓋
７４１    薬液添加口
７５      計量筒
７６      点滴筒プラグシート
７７      輸液管
７８      Ｙ字管
７９      針座
８０      微量套
８１      中空管
【図１】
0003158565.tif 000003
【図２】
0003158565.tif 000004
【図３】
0003158565.tif 000005
【図４】
0003158565.tif 000006
【図５】
0003158565.tif 000007
【図６】
0003158565.tif 000008
【図７】
0003158565.tif 000009
【図８】
0003158565.tif 000010